(57)【要約】      （修正有）【課題】好みに応じた複数の開封方法が選択でき、しかも、冷菓を食し易い冷菓用包装容器の提供、また、開口縁部が鋭利とならない冷菓用包装容器の提供。【解決手段】合成樹脂製の外面層，紙製の中間層，合成樹脂製の内面層３を順に積層した原紙を裁断して得た台紙からなり、冷菓Ｃを収容する縦長形状の冷菓収容部ｃの中央部に、該冷菓収容部ｃの周方向全周にわたって切り取り可能な帯状の中央あけくち片ｂを設けるとともに、その冷菓収容部ｃの長手方向一側部に、同じく該冷菓収容部ｃの周方向全周にわたって切り取り可能な帯状の上部あけくち片ａを設けてなる冷菓用包装容器。上記あけくち片ａ，ｂは、互いにずらして入れた外面層１のハーフカット線と内面層３のハーフカット線とにより区画形成されている。【選択図】図３
0003130458.tif 000002
【実用新案登録請求の範囲】
【請求項１】
冷菓（Ｃ）を収容する縦長形状の冷菓収容部（ｃ）の中央部に、該冷菓収容部（ｃ）の周方向全周にわたって切り取り可能な帯状の中央あけくち片（ｂ）を設けるとともに、その冷菓収容部（ｃ）の上部に、同じく該冷菓収容部（ｃ）の周方向全周にわたって切り取り可能な帯状の上部あけくち片（ａ）を設けてなることを特徴とする冷菓用包装容器。
【請求項２】
上記上部あけくち片（ａ）を切り取って開封することにより、該上部あけくち片（ａ）の上側に残存する容器端部（ｆ）を抜き去り、収容している冷菓（Ｃ）を露出することができ、さらに、上記中央あけくち片（ｂ）を切り取ることにより、該中央あけくち片（ｂ）の上側に残存する筒状部分（ｈ）を抜き去って上記冷菓（Ｃ）をさらに露出させることができるようにしてなることを特徴とする請求項１記載の冷菓用包装容器。
【請求項３】
上記中央あけくち片（ｂ）を切り取って、該中央あけくち片（ｂ）の上下の持ち手部分（ｉ，ｉ）を把持して折り曲げることで冷菓（Ｃ）を分割することができるようにしてなることを特徴とする請求項１または２記載の冷菓用包装容器。
【請求項４】
(i)合成樹脂製の外面層（１），紙製の中間層（２），合成樹脂製の内面層（３）を順に積層した原紙を裁断して得た台紙（Ａ）を組み立ててなるとともに、(ii)上記上部あけくち片（ａ）が、上記外面層（１）の、上記台紙（Ａ）の一側辺に突出形成されたツマミ（４）の上下縁の延長線上に上記中間層（２）に達しないよう形成された２本のハーフカット線（６，７）の間、および、上記内面層（３）の、上記２本のハーフカット線（６，７）の間の位置に、それらよりも間隔を狭め、かつ、上記中間層（２）に達しないよう形成された２本のハーフカット線（８，９）の間に区画形成された帯状部分（４ａ）と、これに連続する上記ツマミ（４）からなり、(iii)上記中央あけくち片（ｂ）が、上記外面層（１）の、上記台紙（Ａ）の一側辺に突出形成されたツマミ（５）の上下縁の延長線上に上記中間層（２）に達しないよう形成された２本のハーフカット線（１０，１１）の間、および、上記内面層（３）の、上記２本のハーフカット線（１０，１１）の間の位置に、それらよりも間隔を狭め、かつ、上記中間層（２）に達しないよう形成された２本のハーフカット線（１２，１３）の間に区画形成された帯状部分（５ａ）と、これに連続する上記ツマミ（５）からなることを特徴とする請求項１，２または３記載の冷菓用包装容器。
【請求項５】
上記冷菓収容部（ｃ）が縦長四面体をなしていることを特徴とする請求項１，２，３または４記載の冷菓用包装容器。
【考案の詳細な説明】
【技術分野】
【０００１】
本考案は、氷菓、ラクトアイス、アイスミルク、アイスクリーム，ゼリー，ようかん等の固形ないし半固形の冷菓及びその他の個食用菓子類を充填収納する包装容器に関する。
【背景技術】
【０００２】
従来、冷菓を収納する容器としては、たとえば、合成樹脂チューブ製のいわゆるチューペットタイプのものがある。これは容器本体の上端部を切り離して吸い口を開け、冷菓を指で押し出しながら食することができるものである。
また、上下方向中央にくびれ部分を形成してあるものは、その部分で折り曲げて上下２つに分割して、２人で分け合ったり、半分を保管しておくことができる。
【０００３】
一方、四面体の容器として、たとえば下記の特許文献１や２に記載されたものが知られている。
特許文献１に開示された容器は、基材層と熱接着性樹脂層とを積層した方形の積層体の対向する２辺の端縁を合わせて接着して側端縁接着部を形成した筒状とし、その一方の端縁開口を直線状に接着し上端縁接着部を形成し、他方の端縁開口を、上記上端縁接着部と直交する方向に向けて直線状に接着し下端縁接着部を形成して四面体としたものである。
これは、側端縁接着部の上記上端縁接着部のやや下側の位置に、切欠を形成し、この切欠から横方向に引き裂くことにより上記上端縁接着部を切り取って開封できるようになっている。
【０００４】
また、特許文献２には、プラスチック等からなる複合フィルムの両端縁をシールして筒状としかつ上下端の開口を互いに直交する天シール部と地シール部として接着封止した、上記特許文献１のものと同様、四面体の包装袋である。この包装袋は、その１頂点を囲繞する３面にわたってレーザー光により形成したハーフカット線に沿って、その頂点部分を引き裂くことで綺麗に開封できるようになっている。
【０００５】
【特許文献１】特開２００２−３６２５８０号公報
【特許文献２】特開２００２−２７４５４６号公報
【考案の開示】
【考案が解決しようとする課題】
【０００６】
冷菓は、上記の四面体の容器にも充填することが可能であるが、それらの容器には上記切欠きまたはハーフカット線による開封方法しか用意されていないので、好みに応じた複数の開封方法を選べるようにし、また、内部の冷菓を食べ易くするために、冷菓を押し出し易くしたり、開封後さらに容器を切り開けるようにしておくのが好ましい。
また、四面体の容器に充填された冷菓を容器ごと分割できるような開封が可能であれば便利である。また、容器を揉み潰して冷菓を押し出す作業を両手で行う必要のあるような容器では、冷菓が固い場合など、握力の弱い者にとっては食しにくいものである。
さらに、上記チューペットタイプの容器も四面体の容器も、開封した際の開口縁部にプラスチック層が露出して鋭利なものになってしまうので、開口縁部に口をつけて冷菓を食する際に怪我のおそれがある。
【０００７】
そこで本考案は、第１に、複数の開封方法のうち好みに応じた方法を選択でき、しかも、冷菓を食し易い冷菓用包装容器の提供を課題とし、第２に、開口縁部が鋭利とならず、さらに片手で容易に内容物が押し出せるワンハンド性に優れた冷菓用包装容器の提供を課題とする。
【課題を解決するための手段】
【０００８】
請求項１記載の本考案は、冷菓Ｃを収容する縦長形状の冷菓収容部ｃの中央部に、該冷菓収容部ｃの周方向全周にわたって切り取り可能な帯状の中央あけくち片ｂを設けるとともに、その冷菓収容部ｃの上部に、同じく該冷菓収容部ｃの周方向全周にわたって切り取り可能な帯状の上部あけくち片ａを設けてなる冷菓用包装容器である。
【０００９】
請求項２記載の本考案は、上記上部あけくち片ａを切り取って開封することにより、該上部あけくち片ａの上側に残存する容器端部ｆを抜き去り、収容している冷菓Ｃを露出することができ、さらに、上記中央あけくち片ｂを切り取ることにより、該中央あけくち片ｂの上側に残存する筒状部分ｈを抜き去って上記冷菓Ｃをさらに露出させることができるようにしてなる請求項１記載の冷菓用包装容器である。
【００１０】
請求項３記載の本考案は、上記中央あけくち片ｂを切り取って、該中央あけくち片ｂの上下の持ち手部分ｉ，ｉを把持して折り曲げることで冷菓Ｃを分割することができるようにしてなる請求項１または２記載の冷菓用包装容器である。
【００１１】
請求項４記載の本考案は、(i)合成樹脂製の外面層１，紙製の中間層２，合成樹脂製の内面層３を順に積層した原紙を裁断して得た台紙Ａを組み立ててなるとともに、(ii)上記上部あけくち片ａが、上記外面層１の、上記台紙Ａの一側辺に突出形成されたツマミ４の上下縁の延長線上に上記中間層２に達しないよう形成された２本のハーフカット線６，７の間、および、上記内面層３の、上記２本のハーフカット線６，７の間の位置に、それらよりも間隔を狭め、かつ、上記中間層２に達しないよう形成された２本のハーフカット線８，９の間に区画形成された帯状部分４ａと、これに連続する上記ツマミ４からなり、(iii)上記中央あけくち片ｂが、上記外面層１の、上記台紙Ａの一側辺に突出形成されたツマミ５の上下縁の延長線上に上記中間層２に達しないよう形成された２本のハーフカット線１０，１１の間、および、上記内面層３の、上記２本のハーフカット線１０，１１の間の位置に、それらよりも間隔を狭め、かつ、上記中間層２に達しないよう形成された２本のハーフカット線１２，１３の間に区画形成された帯状部分５ａと、これに連続する上記ツマミ５からなる請求項１，２または３記載の冷菓用包装容器である。
【００１２】
請求項５記載の本考案は、上記冷菓収容部ｃが縦長四面体をなす請求項１，２，３または４記載の冷菓用包装容器である。
【考案の効果】
【００１３】
請求項１〜５記載の本考案冷菓用包装容器は、好みに応じた複数の開封方法が選択でき、しかも、冷菓を食し易い。
請求項４，５記載の本考案冷菓用包装容器は、その上部あけくち片ａおよび中央あけくち片ｂを切り取った際に、紙製の上記中間層２の繊維の一部が開口縁部の上記内面層３の外面に残存するので、冷菓Ｃを食する際に、鋭利な縁部の内面層３が直接口元にあたらないので怪我をするようなことがない。
【考案を実施するための最良の形態】
【００１４】
冷菓Ｃを収容する縦長形状の冷菓収容部ｃの中央部に、該冷菓収容部ｃの全周にわたって切り取り可能な帯状の中央あけくち片ｂを設けるとともに、その冷菓収容部ｃの上部に、同じく該冷菓収容部ｃの全周にわたって切り取り可能な帯状の上部あけくち片ａを設けてなる冷菓用包装容器。
【実施例】
【００１５】
Ａは、ポリエチレン等の合成樹脂製の外面層１，紙製の中間層２，ポリエチレン等の合成樹脂製の内面層３を順に積層した原紙を裁断して得た本考案冷菓用包装容器（以下、単に「包装容器」という。）Ｂの台紙である。
【００１６】
この台紙Ａは、縦約２０５ｍｍ、横約１２２ｍｍの縦長方形をなし、その一側長辺の上部と中央部には、開封用のツマミ４，５が突出形成され、そのツマミ４，５の上下の位置には切欠き４’，４’，５’，５’が形成されている。
【００１７】
上記ツマミ４の上下縁の延長線上の上記外面層１には、該台紙Ａの横方向に向けた、上記中間層２に達しない２本のハーフカット線６，７が形成されている。
また、上記内面層３の、上記ハーフカット線６，７の間の位置には、該ハーフカット線６，７と平行にしかつそれらよりも間隔を狭めた、上記中間層２に達しない２本のハーフカット線８，９が形成されている。
上記ハーフカット線８，９の上記ツマミ４側の端部は互いが離れる方向にそれぞれ湾曲して上記ツマミ４の上下縁まで形成されている。
外面層１側の上記ハーフカット線６と８の間、および、内面層３側のハーフカット線７と９の間に区画された帯状部分４ａとこれに連続するツマミ４は、切り取り可能な上部あけくち片ａを構成している。
【００１８】
上記ツマミ５の上下縁の延長線上の上記外面層１には、該台紙Ａの横方向に向けた、上記中間層２に達しない２本のハーフカット線１０，１１が形成されており、また、上記内面層３の、上記ハーフカット線１０，１１の間の位置には、該ハーフカット線１０，１１と平行にしかつそれらよりも間隔を狭めた、上記中間層２に達しない２本のハーフカット線１２，１３が形成されている。
上記ハーフカット線１２，１３の上記ツマミ５側の端部は互いが離れる方向にそれぞれ湾曲して上記ツマミ５の上下縁まで形成されている。
外面層１側の上記ハーフカット線１０と１１の間、および、内面層３側のハーフカット線１２と１３の間に区画された帯状部分５ａとこれに連続するつまみ５は、切り取り可能な中央あけくち片ｂを構成している。
【００１９】
上記台紙Ａは、上記上部あけくち片ａの上側の位置に横方向に入れた谷折り線１５と上縁から縦方向に入れた山折り線１６，１７とによって、上部固着片１８，１９，２０を区画形成している。
また、台紙Ａの下部には、横方向に入れた谷折り線２１と、上記上部固着片１９，２０の中央の位置に対応する箇所に下縁から縦方向に入れた山折り線２２，２３とによって、下部固着片２４，２５，２６を区画形成している。
【００２０】
上記谷折り線１５と上記山折り線１６の交点と、上記谷折り線２１と上記山折り線２２の交点との間には山折り線２７が、上記谷折り線２１と山折り線２２の交点と、上記谷折り線１５と上記山折り線１７の交点との間には山折り線２８が、上記谷折り線１５と上記山折り線１７の交点と、上記谷折り線２１と山折り線２３との交点との間には、上記山折り線２７と平行な山折り線２９がそれぞれ入れてある。
また、上記谷折り線２１と山折り線２３の交点と、上記ツマミ４の基端上縁の（切欠き４’の位置）との間には上記山折り線２８と平行な山折り線３０が入れてあり、上記谷折り線１５と山折り線１６の交点からは上記山折り線２８と平行にした山折り線が、該台紙Ａの他側長辺まで入れてある。
【００２１】
上記の山折り線２７〜３１は、同型同大の縦長二等辺三角形をなす側壁３２，３３，３４と、その二等辺三角形の一側部を欠いた５角形状をなす側壁３５と、側壁固着片３６，３７とを区画形成している。
【００２２】
本考案包装容器Ｂは、上記の台紙Ａから以下のようにして組み立てられ、冷菓Ｃを充填しこれを包装することができる。
まず、下部固着片２４を下部固着片２５に、また上部固着片１８を上部固着片１９に重合する（図２）。
続いて側壁３４の端部に側壁固着片３７を重合するとともに、下部固着片２６を下部固着片２５および２４に重合し、重合した箇所を熱溶着するかあるいは接着剤により固着する。
そして、側壁３２，３３，３４，３５および側壁固着片３６，３７により構成される冷菓収容部ｃに冷菓Ｃを充填したのち、上部固着片２０を上部固着片１９および１８に重合して熱溶着あるいは接着剤により接着する（図３，４）。
【００２３】
これによって、縦長二等辺三角形の４側面により構成される細長四面体の上記冷菓収容部ｃを、上部固着片１８，１９，２０からなる上端封止部ｄと、これに直交する向きにした下部固着片２４，２５，２６からなる下端封止部ｅにより密封した状態となる（図３，４）。
その冷菓収容部ｃの上部には、その周方向全周にわたって切り取り可能にして形成された帯状の上記上部あけくち片ａが設けられ、また、中央部には、同じく該冷菓収容部ｃの周方向全周にわたって切り取り可能に形成された帯状の上記中央あけくち片ｂが設けられており、該包装容器Ｂは、これらを切り取ることにより容易に開封できる。
そのあけくち片ａ，ｂの帯状部分４ａ，５ａは、外面層１のハーフカット線６，７、１０，１１と内面層３のハーフカット線８，９、１２，１３をずらして形成されているので、この包装容器Ｂは強度が高く、冷菓Ｃが漏れない構造となっている。
【００２４】
上記のようにして冷菓Ｃを充填した本考案包装容器Ｂは、以下のように適宜開封方法を選択することができる。
【００２５】
まず上記ツマミ４を引いて上部あけくち片ａを切り取って開封するとともに（図５）、その上側に残存する容器端部ｆ（上記上端封止部ｄを含む）を上方へ抜き去り、冷菓Ｃの上部を露出させる。
これにより、あけくち片ａの下側に残る持ち手部分ｇを把持して、冷菓Ｃを食することができる。
上記あけくち片ａは、上記外面層１のハーフカット線６，７と内面層３のハーフカット線８，９に沿って切り取られるが、これに伴い、紙製の上記中間層２の繊維の一部は開口縁部の上記内面層３の外面に残存する（図６（ｂ））。したがって、冷菓Ｃを食する際に、鋭利な縁部の内面層３が直接口元にあたらないので怪我をするようなことがない。
【００２６】
上記持ち手部分ｇ内の冷菓Ｃは、該包装容器Ｂを握って下から押し出して食することができる。
【００２７】
上記のように開封した包装容器Ｂは、さらに、中央あけくち片ｂを切り取って（図７）、その上側に残存する筒状部分ｈを抜き去ることによって（図８）、冷菓Ｃをさらに露出させかつ持ち手部分ｇを短くして、押し出し易い状態にして食することもできる。その押出しは片手で容易に行え、該包装容器Ｂはワンハンド性に優れている。
中央あけくち片ｂも、上記あけくち片ａと同様、上記外面層１のハーフカット線１０，１１と内面層３のハーフカット線１２，１３に沿って切り裂かれ、紙製の上記中間層２の繊維の一部が開口縁部の上記内面層３の外面に残存するので、鋭利な縁部の内面層３が直接口元にあたらないので怪我をするようなことがない。
【００２８】
また、この包装容器Ｂは、上記上部あけくち片ａと中央あけくち片ｂの双方を一挙に開け、上記上端部ｆと筒状部分ｈとを取り外し、露出させた冷菓を食することもできる。
【００２９】
さらに、冷菓Ｃを２つに分割し２人で食する場合や半分を保管しておく場合には、上記中央あけくち片ｂより開封するとともに（図９）、その上下の上端封止部ｄまたは下端封止部ｅを含む持ち手部分ｉ，ｉを把持して折り曲げることで、冷菓Ｃを包装容器Ｂごと２つに分割する。分割されたそれぞれ冷菓Ｃは、各々の持ち手部分ｉ，ｉを握って押し出して食することができる。
【００３０】
なお、上記では説明の便宜上、冷菓収容部ｃの上部と中央部とにあけくち片ａ，ｂを設けたものとしたが、その下部と中央部とに形成することとしてもよい。
また、上記では細長四面体をなす冷菓収容部ｃを例に挙げ説明したが、その冷菓収容部ｃは縦長形状であれば四面体に限らず、たとえば、円形，楕円形，三角形，四角形等各種の断面形状の筒状のものとすることもできる。
【図面の簡単な説明】
【００３１】
【図１】本考案の実施例に係る包装容器の台紙を内面側から見た平面図である。
【図２】上記包装容器の組立て途中の状態を示す斜視図である。
【図３】上記包装容器の組立てが完了した状態を示す斜視図である。
【図４】（ａ）は上記包装容器の正面図、（ｂ）は上記包装容器の側面図、（ｃ）は上記包装容器の平面図である。
【図５】図３，４の上記包装容器を、上部あけくち片において開封する途中の状態を示す斜視図である。
【図６】（ａ）は上記上部あけくち片の開封前の状態の断面図、（ｂ）はその開封後の断面図である。
【図７】上部あけくち片において開封した上記包装容器内の冷菓をさらに露出させるために、さらに中央あけくち片を切り取る途中の状態を示す斜視図である。
【図８】その中央あけくち片の切り取りが完了した状態を示す斜視図である。
【図９】図３，４の上記包装容器を、中央あけくち片において開封した状態を示す斜視図である。
【符号の説明】
【００３２】
Ａ 台紙
Ｂ 冷菓用包装容器
Ｃ 冷菓
ａ 上部あけくち片
ｂ 中央あけくち片
ｃ 冷菓収容部
ｄ 上端封止部
ｅ 下端封止部
ｆ 容器端部
ｇ，ｉ 持ち手部分
ｈ 筒状部分
１ 外面層
２ 中間層
３ 内面層
４，５ ツマミ
６〜１３ ハーフカット線
【図１】
0003130458.tif 000003
【図２】
0003130458.tif 000004
【図３】
0003130458.tif 000005
【図４】
0003130458.tif 000006
【図５】
0003130458.tif 000007
【図６】
0003130458.tif 000008
【図７】
0003130458.tif 000009
【図８】
0003130458.tif 000010
【図９】
0003130458.tif 000011